(57)【要約】【課題】省エネルギー化とともに空調空間の環境の安定化を実現することができる空調制御装置、空調制御方法および空調制御プログラムを提供する。【解決手段】空調機１ａが配設された空調空間の温度が第１の温度範囲内にある際に、空調制御装置３は、周期データに基づいて空調機１ａを強制停止運転し、停止可能時間が１周期の時間に対して５％〜４０％の範囲外である場合には、停止可能時間が上記５〜４０％の範囲内となるよう周期データを設定する。これにより、空調機１ａの運転時間と停止時間のバランスを空調空間の環境が安定しかつ省エネルギー化が実現できる値に保つことができるので、結果として、空調空間の環境の安定および省エネルギー化を実現することができる。【選択図】  図１
2010002065.tif 000002
【特許請求の範囲】
【請求項１】
所定の周期を記憶する記憶手段と、
空調機が配設された空調空間の温度が設定温度を含む所定の第１の温度範囲内にある場合に、前記記憶手段に記憶された前記所定の周期毎に前記空調機を強制的に停止し、前記空調機の停止時に前記空調空間の温度が所定の境界温度に達したときに前記空調機を再起動する運転手段と、
１の所定の周期中における前記空調機の運転時に、前記空調空間の温度が所定の第２の温度範囲内にある第１の時間を測定する測定手段と、
前記第１の時間と前記１の所定の周期との時間の比が所定の範囲内であるか否かを判定し、前記所定の範囲外である場合、前記比が前記所定の範囲内となるよう前記記憶手段に記憶された前記所定の周期を設定する第１の設定手段と
を備えたことを特徴とする空調制御装置。
【請求項２】
第１のモードの場合には、前記第１の時間と前記１の所定の周期との時間の比が所定の範囲内で、かつ、前記１の所定の周期に対する前記第１の時間の割合を小さくし、第２のモードの場合には、前記第１の時間と前記１の所定の周期との時間の比が所定の範囲内で、かつ、前記１の所定の周期に対する前記第１の時間の割合を大きくするよう、前記記憶手段に記憶された前記所定の周期を設定する第２の設定手段
をさらに備えることを特徴とする請求項１記載の空調制御装置。
【請求項３】
記憶手段に、所定の周期を記憶させるステップと、
運転手段に、空調機が配設された空調空間の温度が設定温度を含む所定の第１の温度範囲内にある場合に、前記記憶手段に記憶された前記所定の周期毎に前記空調機を強制的に停止し、前記空調機の停止時に前記空調空間の温度が所定の境界温度に達したときに前記空調機を再起動させるステップと、
測定手段に、１の所定の周期中における前記空調機の運転時に、前記空調空間の温度が所定の第２の温度範囲内にある第１の時間を測定させるステップと、
設定手段に、前記第１の時間と前記１の所定の周期との時間の比が所定の範囲内であるか否かを判定させ、前記所定の範囲外である場合、前記比が前記所定の範囲内となるよう前記記憶手段に記憶された前記所定の周期を設定させるステップと
を有することを特徴とする空調制御方法。
【請求項４】
コンピュータを、請求項１記載の空調制御装置として機能させることを特徴とする空調制御プログラム。
【発明の詳細な説明】
【技術分野】
【０００１】
本発明は、建造物に配設された空調機により、この空調機が設けられた空調空間の温度を制御する空調制御装置、空調制御方法および空調制御プログラムに関するものである。
【背景技術】
【０００２】
オフィスビル等の建造物内の空調空間の温度を調整する空調機は、その作動時にはその空調空間の温度を所定の温度範囲に保つように動作制御をしている。ところが、天候、建造物の構造、在室人数などにより、空調機を作動させなくても、ある程度の時間、その空調空間の温度が所定の温度範囲内に保たれることがある。このとき、空調機は、出力を抑えたり、アイドリング状態やスタンバイ状態にしたりしているが、ある程度のエネルギーを消費している。そこで、空調空間の温度が所定の温度範囲内にあるときには、所定の周期ごとに空調機を強制的に停止し、空調空間の温度が所定の温度範囲から外れると空調機を再起動させることにより、省エネルギー化を図ることが提案されている（例えば、特許文献１参照。）。
【０００３】
例えば、図５（ａ）に示すように、空調空間の温度を設定温度と上限温度との間の所定の温度範囲に保つよう冷房運転をしている場合、空調空間の温度がその所定の温度範囲内にあるときには所定の周期ごとに空調機を強制的に停止し、空調空間の温度が上限温度に達すると空調機を再起動する。このような空調機の強制的な停止を周期的に繰り返すことにより、空調機の運転時間を減少させることができるので、結果として、省エネルギー化を実現することができる。なお、図５（ａ）〜図５（ｃ）において、縦軸は温度、横軸は時間、曲線は、所定の空調空間における温度変化を示している。
【０００４】
【特許文献１】特開２００３−３０７３３１号公報
【発明の開示】
【発明が解決しようとする課題】
【０００５】
しかしながら、従来では、空調機を強制的に停止させる周期に明確な指標がなかったので、オペレータが実際の現場環境に応じて適宜設定しており、この設定によっては室内環境の悪化を招いたり、省エネルギー化を阻害したりすることがあった。
【０００６】
例えば、図５（ｂ）に示すように周期が長すぎると、空調空間の温度が所定の温度範囲にあるにもかかわらず、空調機が作動する時間が減らないので、省エネルギー化を実現することが困難となる。一方、図５（ｃ）に示すように周期が短すぎると、空調空間の温度が十分に下がらないうちに空調機が強制的に停止させられるので、空調空間の環境が悪化してしまう。また、空調機の停止と運転を頻繁に繰り返さなければならず、結果として、空調機に余分な負荷がかかってしまう。
【０００７】
そこで、本発明は、省エネルギー化とともに空調空間の環境の安定化を実現することができる空調制御装置、空調制御方法および空調制御プログラムを提供することを目的とする。
【課題を解決するための手段】
【０００８】
上述したような課題を解決するために、本発明に係る空調制御装置は、所定の周期を記憶する記憶手段と、空調機が配設された空調空間の温度が設定温度を含む所定の第１の温度範囲内にある場合に、前記記憶手段に記憶された前記所定の周期ごとに前記空調機を強制的に停止し、前記空調機の停止時に前記空調空間の温度が所定の境界温度に達したときに前記空調機を再起動する運転手段と、１の所定の周期中における前記空調機の運転時に、前記空調空間の温度が所定の第２の温度範囲内にある第１の時間を測定する測定手段と、前記第１の時間と前記１の所定の周期との時間の比が所定の範囲内であるか否かを判定し、前記所定の範囲外である場合、前記比が前記所定の範囲内となるよう前記記憶手段に記憶された前記所定の周期を設定する第１の設定手段とを備えたことを特徴とする。ここで、第２の温度範囲は第１の温度範囲に含まれていてもよい。
【０００９】
上記空調制御装置において、第１のモードの場合には、前記第１の時間と前記１の所定の周期との時間の比が所定の範囲内で、かつ、前記１の所定の周期に対する前記第１の時間の割合を小さくし、第２のモードの場合には、前記第１の時間と前記１の所定の周期との時間の比が所定の範囲内で、かつ、前記１の所定の周期に対する前記第１の時間の割合を大きくするよう、前記記憶手段に記憶された前記所定の周期を設定する第２の設定手段をさらに備えるようにしてもよい。
【００１０】
また、本発明に係る空調制御方法は、記憶手段に、所定の周期を記憶させるステップと、運転手段に、空調機が配設された空調空間の温度が設定温度を含む所定の第１の温度範囲内にある場合に、前記記憶手段に記憶された前記所定の周期ごとに前記空調機を強制的に停止し、前記空調機の停止時に前記空調空間の温度が所定の境界温度に達したときに前記空調機を再起動させるステップと、測定手段に、１の所定の周期中における前記空調機の運転時に、前記空調空間の温度が所定の第２の温度範囲内にある第１の時間を測定させるステップと、設定手段に、前記第１の時間と前記１の所定の周期との時間の比が所定の範囲内であるか否かを判定させ、前記所定の範囲外である場合、前記比が前記所定の範囲内となるよう前記記憶手段に記憶された前記所定の周期を設定させるステップとを有することを特徴とする。
【００１１】
また、本発明に係る空調制御プログラムは、コンピュータを、上記空調制御装置として機能させることを特徴とする。
【発明の効果】
【００１２】
本発明によれば、空調機が配設された空調空間の温度が設定温度を含む所定の第１の温度範囲内にある場合に、所定の周期ごとに空調機を強制的に停止し、空調機の停止時に空調空間の温度が所定の境界温度に達したときに空調機を再起動し、１の所定の周期中における空調機の運転時に、空調空間の温度が設定温度となる第１の時間を測定し、この第１の時間と１の所定の周期との時間の比が所定の範囲内であるか否かを判定し、所定の範囲外である場合、その比が所定の範囲内となるよう所定の周期を設定することにより、空調機の運転時間と停止時間のバランスを空調空間の環境が安定しかつ省エネルギー化が実現できる値に保つことができるので、結果として、空調空間の環境の安定および省エネルギー化を実現することができる。
【発明を実施するための最良の形態】
【００１３】
以下、図面を参照して、本発明の実施の形態について詳細に説明する。
【００１４】
＜空調システムの構成＞
図１に示すように、本実施の形態に係る空調システムは、熱源機（図示せず）と、空調機１ａ〜１ｎと、センサ２ａ〜２ｎと、空調制御装置３とを備えている。これらは、ＬＡＮ（Local Area Network）、ＷＡＮ（Wide Area Network）、インターネット等の通信回線４により接続されている。
【００１５】
≪熱源機の構成≫
熱源機は、ヒートポンプ、ボイラ、冷凍機、冷却塔などの公知の熱源機から構成され、空調制御装置３からの指示に基づいて加熱または冷却した冷媒を生成し、空調機１ａ〜１ｎに送出する。
【００１６】
≪空調機の構成≫
空調機１ａ〜１ｎは、エアハンドリングユニット、ファンコイルユニット、パッケージエアコンなどの公知の熱交換機から構成され、建造物の各所に配設される。このような空調機１ａ〜１ｎは、空調制御装置３からの指示に基づいて、熱源機から送られてくる冷媒と、配設された空間（以下、空調空間という）の空気との間で熱交換を行うことにより、空調空間の空気調和を図る。
【００１７】
≪センサの構成≫
センサ２ａ〜２ｎは、気温、湿度、風量等を検出する公知のセンサから構成され、各空調空間に配設される。このようなセンサ２ａ〜２ｎは、配設された空調空間の気温、湿度、風量を検出し、これらのデータを空調制御装置３に送出する。
【００１８】
≪空調制御装置の構成≫
図２に示すように、空調制御装置３は、Ｉ／Ｆ部３１と、格納部３２と、運転部３３と、停止可能時間測定部３４と、周期設定部３５と、適正範囲判定部３６とを備えている。
【００１９】
Ｉ／Ｆ部３１は、通信回線４を介して、熱源機、空調機１ａ〜１ｎおよびセンサ２ａ〜２ｎとの間で、制御信号や各種情報の送受信を行う。
【００２０】
格納部３２は、空調空間の温度が所定の第１の温度範囲内にある場合に空調機１ａ〜１ｎを所定の周期ごとに強制的に停止させる強制停止運転を行う際に用いられるデータ（以下、強制停止データという）を格納する。この強制停止データには、強制停止運転における１周期の時間に関するデータ（以下、周期データという）および後述する運転モードに関するデータが含まれ、空調機１ａ〜１ｎごとに記録される。ここで、本実施の形態における第１の温度範囲とは、各空調機１ａ〜１ｎに設定された設定温度と境界温度（暖房の場合には下限温度、冷房の場合には上限温度）との間の温度範囲のことを意味する。
【００２１】
運転部３３は、熱源機および各空調機１ａ〜１ｎの運転を制御する。具体的には、空調空間の温度が第１の温度範囲外の場合、運転部３３は、連続的に運転させる通常運転を空調機１ａ〜１ｎに行わせ、その空調空間の温度を第１の温度範囲内となるようにさせる。このような通常運転を行う等により空調空間の温度が第１の温度範囲内となると、運転部３３は、格納部３２に格納された強制停止データに基づく強制停止運転を空調機１ａ〜１ｎに行わせる。この強制停止運転とは、空調空間の温度が第１の温度範囲内にある場合に、その空調空間に配設された空調機を所定の周期ごとに強制的に停止させ、空調空間の温度が第１の温度範囲から外れると空調機を再起動させることにより、空調空間の温度を第１の温度範囲内に保つとともに省エネルギー化を図る空調機の運転制御である。
空調機を駆動してから最初の強制停止運転は、空調空間の温度が第１の温度範囲内の設定温度など所定の温度に到達すると行われる。一方、連続して行われている強制停止運転は、１周期が終了し、かつ、空調空間の温度が第１の温度範囲内であると、再度空調機を強制的に停止して次の周期の強制停止運転が行われる。
このように強制的に停止した後にその空調空間の温度が境界温度に達すると、運転部３３は、その空調機を再起動させる。再起動した空調機は、空調機を強制停止した時点から強制停止データに含まれる周期データにより特定される１周期の時間が経過するまで通常運転を行う。この１周期が終了し、かつ、その空調空間の温度が第１の温度範囲内であると、運転部３３は、再びその空調機を強制的に停止して次の周期の強制停止運転を行わせる。
ここで、強制停止運転の１周期とは、空調機を強制停止してから、周期データにより特定される１周期の時間が経過するまでを示す。この１周期において空調機は、強制停止させられてからその空調機が配設された空調空間の温度が境界温度に達するまでは停止させられ続ける。境界温度に達すると、空調機は、１周期が終了するまで運転させられる。
【００２２】
停止可能時間測定部３４は、センサ２ａ〜２ｎによる検出結果に基づいて、強制停止運転の１周期内において空調機１ａ〜１ｎの運転中に、この空調機１ａ〜１ｎが配設された空調空間の室内温度が設定温度近傍の所定の第２の温度範囲となっている時間（以下、停止可能時間という）を測定する。ここで、設定温度近傍の第２の温度範囲は、例えば設定温度±１℃など、空調空間の構成、空調空間の在室人数などに応じて、適宜自由に設定することができる。したがって、第１の温度範囲内であったり、第１の温度範囲を跨いだりしてもよい。
【００２３】
周期設定部３５は、停止可能時間測定部３４により測定された停止可能時間が所定の範囲内にあるか否かを判定し、この判定結果に基づいて周期データを設定する。
【００２４】
適正範囲判定部３６は、周期設定部３５により設定された停止可能時間が運転モードに応じた所定の範囲内にあるか否かを判定し、この判定結果に基づいて周期データを設定する。ここで、運転モードとは、空調機１ａ〜１ｎの運転において、省エネルギーを重視したり、空調空間の環境を重視したりする設定のことを意味する。本実施の形態においては、その二つのモード、すなわち省エネルギーモードと環境モードの何れか一方が各空調機１ａ〜１ｎに対して設定されている場合を例に説明する。
【００２５】
このような空調制御装置３は、ＣＰＵ等の演算装置と、メモリ、ＨＤＤ（Hard Disc Drive）等の記憶装置と、キーボード、マウス、ポインティングデバイス、ボタン、タッチパネル等の外部から情報の入力を検出する入力装置と、インターネット、ＬＡＮ（Local Area Network）、ＷＡＮ（Wide Area Network）等の通信回線を介して各種情報の送受信を行うＩ／Ｆ装置と、ＣＲＴ（Cathode Ray Tube）、ＬＣＤ（Liquid Crystal Display）またはＦＥＤ（Field Emission Display）等の表示装置を備えたコンピュータと、このコンピュータにインストールされたプログラムとから構成される。すなわちハードウェア装置とソフトウェアとが協働することによって、上記のハードウェア資源がプログラムによって制御され、上述したＩ／Ｆ部３１、格納部３２、運転部３３、停止可能時間測定部３４、周期設定部３５、適正範囲判定部３６が実現される。なお、上記プログラムは、フレキシブルディスク、ＣＤ−ＲＯＭ、ＤＶＤ−ＲＯＭ、メモリカードなどの記録媒体に記録された状態で提供されるようにしてもよい。
【００２６】
＜空調システムの動作＞
次に、本実施の形態に係る空調システムの動作について、図３を参照して説明する。便
宜上、ここでは、空調機１ａの冷房運転時の周期データを更新する場合を例に説明する。
【００２７】
まず、空調制御装置３の運転部３３は、空調機１ａの電源が投入されたり、空調機１ａが配設された空調空間の温度が第１の温度範囲外になったりすると、その空調空間の温度が第１の温度範囲内となるよう空調機１ａに通常運転を行わせる（ステップＳ１）。
【００２８】
次いで、運転部３３は、センサ２ａにより、空調機１ａが配設された空調空間の温度を検出し、この温度が第１の温度範囲内にあるか否かを確認する（ステップＳ２）。
【００２９】
第１の温度範囲外の場合（ステップＳ２：ＮＯ）、運転部３３は、ステップＳ１の処理に戻り、引き続き通常運転を行わせる。
【００３０】
一方、第１の温度範囲内の場合（ステップＳ２：ＹＥＳ）、運転部３３は、格納部３２に格納された空調機１ａの強制停止データに基づいて、空調機１ａに強制停止運転を行わせる（ステップＳ３）。具体的には、まず、運転部３３は、所定の周期で空調機１ａを強制的に停止させる。停止させた後、その周期内で空調機１ａが配設された空調空間の温度が境界温度に達すると、運転部３３は、空調機１ａを再起動させ、空調機１ａを強制停止させた時点から強制停止データに含まれる周期データにより特定される１周期の時間が経過するまで、その空調機１ａを駆動させ続ける。境界温度に達しない場合には、空調機１ａを再起動させない。
【００３１】
なお、空調機１ａの電源を投入してから初めて強制停止運転を行う場合、運転部３３は、予め格納部３２に格納された周期データ、または、空調機１ａの電源を切った際に格納部３２に格納されていた周期データに基づいて、空調機１ａの強制停止運転を行う。
【００３２】
このようにして空調機１ａを強制停止させた時点から周期データにより特定される１周期の時間が経過すると（ステップＳ４：ＹＥＳ）、空調機制御装置３は、現在の周期データに基づいた空調機１ａの強制停止運転が省エネルギー化とともに空調空間の環境の安定化を実現する上で適当か否か確認し、適当でない場合には周期データを再設定する。
【００３３】
まず、停止可能時間測定部３４は、センサ２ａによる測定結果に基づいて、その１周期において、空調機１ａが運転中に空調空間の温度が設定温度近傍の第２の温度範囲内にあった時間、すなわち停止可能時間を計測する（ステップＳ５）。
【００３４】
例えば、図４（ａ）に示すような周期で冷房運転をした場合、空調空間の温度が設定温度近傍となるのは、空調機１ａを再起動してから１０分後からの１０分間である。したがって、図４（ａ）の場合には、停止可能時間は、１０分間となる。
【００３５】
なお、図４（ａ）は、縦軸が時間、横軸が温度を示しており、各周期データで空調機を運転したときの温度変化を表している。また、「運転時間」とは、空調機が作動している時間を表しており、通常の冷暖房運転のみならずアイドリング状態やスタンバイ状態など冷暖房運転を実際に行っていない時間も含まれる。「停止時間」とは、空調機を強制的に停止させる時間を表し、アイドリング状態やスタンバイ状態など冷暖房運転を実際に行っていない時間は含まれない。これらは、図４（ｂ）および図４（ｃ）においても、同様である。
【００３６】
停止可能時間測定部３４により停止可能時間が測定されると、周期設定部３５は、１周期に対するその停止可能時間の時間の割合が５〜４０％の範囲内であるか否か判定する（ステップＳ６）。
【００３７】
例えば、図４（ａ）に示すように、１周期の時間が３０分の周期データに基づいて強制停止運転をし、停止時間が１０分、運転時間が２０分、停止可能時間が１０分であった場合、１周期に対する停止可能時間の割合は３３％である。このように、１周期に対して停止可能時間が占める時間の割合が５〜４０％の範囲内の場合（ステップＳ６：ＹＥＳ）、空調制御装置は、ステップＳ４の処理に進む。
【００３８】
一方、図４（ｂ）に示すように、１周期の時間が５０分の周期データに基づいて強制停止運転をし、停止時間が１０分、運転時間が４０分、停止可能時間が３０分であった場合、１周期に対する停止可能時間の割合は６０％である。また、図４（ｃ）に示すように、１周期の時間が３０分の周期データに基づいて強制停止運転をし、停止時間が１５分、運転時間が１５分、停止可能時間が０分であった場合、１周期に対する停止可能時間の割合は０％である。これらのように、１周期に対して停止可能時間が占める時間の割合が５〜４０％の範囲外の場合（ステップＳ６：ＮＯ）、周期設定部３５は、周期データを変更する（ステップＳ９）。
【００３９】
図４（ｂ）のように停止可能時間が４０％を超える場合は、空調機１ａの運転時間が長く、空調空間の温度も設定温度を下回っているので、空調機１ａの運転時間を短くできる余地がある。そこで、周期設定部３５は、１周期の時間を短くして停止可能時間が５％以上４０％以下となるように周期データを設定する。例えば、１周期の時間をＡ、停止可能時間をＢ、短くする時間をｘとすると、下式（１）を満足するように周期データを設定する。
【００４０】
５≦（Ｂ−ｘ）／（Ａ−ｘ）×１００≦４０  ・・・（１）
【００４１】
図４（ｂ）の場合、周期設定部３５は、上式（１）により１周期の時間を（５０／３）〜（５５０／１９）分の範囲で短くする。
【００４２】
一方、図４（ｃ）のように停止可能時間が５％を下回る場合は、空調機１ａの運転時間が短く、空調空間の温度が十分に下がっていないので、空調機１ａの運転時間を長くする必要がある。そこで、周期設定部３５は、１周期の時間を長くして停止可能時間が５％以上４０％以下となるように周期データを設定する。例えば、１周期の時間をＡ、停止可能時間をＢ、長くする時間をｙとすると、下式（２）を満足するように周期データを設定する。
【００４３】
５≦（Ｂ＋ｙ）／（Ａ＋ｙ）×１００≦４０  ・・・（２）
【００４４】
図４（ｃ）の場合、周期設定部３５は、上式（２）により１周期の時間を（１５／１９）〜１０分の範囲で長くする。
【００４５】
本実施の形態では、省エネルギーモードおよび環境モードのうち何れかの運転モードが空調機ごとに設定されている。そこで、停止可能時間が１周期の５〜４０％の範囲となるよう周期データが設定されると、適正範囲判定部３６は、その運転モードを確認するために、格納部３２に格納された強制停止データに基づいて、空調機１ａに省エネルギーモードが設定されているか否か確認する（ステップＳ７）。
【００４６】
省エネルギーモードが設定されている場合（ステップＳ７：ＹＥＳ）、適正範囲判定部３６は、周期設定部３５により設定された周期データにおいて、停止可能時間が１周期の時間に対して５％以上〜２０％未満の範囲内となっているか否かを確認し、その範囲内となっていない場合には停止可能時間がその範囲内となるよう周期データを再設定する（ステップＳ８）。
【００４７】
再設定する場合、周期設定部３５により設定された周期データにおける停止可能時間は１周期の５〜４０％の範囲となっているので、適正範囲判定部３６は、１周期の時間を短くすることにより、停止可能時間を１周期に対して５％以上２０％未満の範囲内とする。例えば、１周期の時間をＡ、停止可能時間をＢ、短くする時間をｘとすると、下式（３）を満足するように周期データを設定する。
【００４８】
５≦（Ｂ−ｘ）／（Ａ−ｘ）×１００＜２０  ・・・（３）
【００４９】
上式（３）を満たすように周期データを設定することにより、空調機１ａの運転時間が短くなるので、空調機１ａの運転に要するエネルギーを削減することができ、結果として、省エネルギー化を実現することができる。
【００５０】
なお、停止可能時間が周期の５％以上〜２０％未満の範囲内となっている場合、適正範囲判定部３６は、周期データの再設定を行わない。上述したような処理が行われ、停止可能時間が周期の５％以上〜２０％未満となると、空調制御装置３は、ステップＳ２の処理に戻る。
【００５１】
省エネルギーモードが設定されていない場合、すなわち環境モードが設定されている場合（ステップＳ７：ＮＯ）、適正範囲判定部３６は、停止可能時間が１周期の時間に対して２０％以上〜４０％以下の範囲内となっているか否かを確認し、その範囲内となっていない場合には停止可能時間がその範囲内となるよう周期データを再設定する（ステップＳ１０）。
【００５２】
再設定する場合、周期設定部３５により設定された周期データにおける停止可能時間は１周期の５〜４０％の範囲となっているので、適正範囲判定部３６は、１周期の時間を長くすることにより、停止可能時間を１周期に対して２０％以上４０％以下の範囲内とする。例えば、１周期の時間をＡ、停止可能時間をＢ、長くする時間をｙとすると、下式（４）を満足するように周期データを設定する。
【００５３】
２０≦（Ｂ＋ｙ）／（Ａ＋ｙ）×１００≦４０  ・・・（４）
【００５４】
上式（４）を満たすように周期データを設定することにより、空調機１ａの運転時間が長くなるので、空調機１ａが配設された空調空間の温度を、設定温度近傍に保つことができる。
【００５５】
なお、停止可能時間が周期の２０％以上〜４０％以下の範囲内となっている場合、適正範囲判定部３６は、周期データの再設定を行わない。上述したような処理が行われ、停止可能時間が周期の２０％以上〜４０％以下となると、空調制御装置３は、ステップＳ２の処理に戻る。
【００５６】
ステップＳ２の処理に戻ると、運転部３３は、センサ２ａにより空調機１ａが配設された空調空間の温度を検出し、第１の温度範囲内にあるか否かを確認する。第１の温度範囲内にある場合、運転部３３は、ステップＳ３の処理に進み、格納部３２に格納された強制停止データの周期データに基づいて空調機１ａに強制運転を再度行わせる。このとき、上述したステップＳ５〜Ｓ１０の処理により周期データが再設定された場合には、この再設定された周期データに基づいて強制停止運転が行われる。一方、第１の温度範囲外の場合、運転部３３は、ステップＳ１の処理に進み、空調機１ａが配設された空調空間の温度が第１の温度範囲内になるまで空調機１ａに通常運転を行わせる。
【００５７】
以上説明したように、本実施の形態によれば、空調機１ａが配設された空調空間の温度が第１の温度範囲内にある際に、周期データに基づいて空調機１ａを強制停止運転し、停止可能時間が１周期の時間に対して５％〜４０％の範囲外である場合には、停止可能時間が上記５〜４０％の範囲内となるよう周期データを設定することにより、空調機１ａの運転時間と停止時間のバランスを空調空間の環境が安定しかつ省エネルギー化が実現できる値に保つことができるので、結果として、空調空間の環境の安定および省エネルギー化を実現することができる。
【００５８】
なお、本実施の形態において、運転部３３は、強制停止運転を行っている際、空調空間の温度が境界温度に達すると、その空調空間に配設された空調機を再起動するようにしたが、空調空間の温度を第１の温度範囲内に保てるのであれば、その再起動させる方法やタイミングについては適宜自由に設定することができる。例えば、最適起動停止方法を用いるようにしてもよい。この場合、空調空間の温度が境界温度となる時刻を予測し、このような前倒しの時刻を再起動する時刻として定め、この時刻から前倒しで空調機の運転を開始する。このようにしても、空調空間の温度を第１の温度範囲内に保つことができ、空調空間の環境の安定および省エネルギー化を実現することができる。
【００５９】
また、本実施の形態において、適正範囲判定部３６は、省エネルギーモードと環境モードの二つの運転モードに応じた所定の範囲内に、周期設定部３５により設定された停止可能時間があるか否かを判定するようにしたが、その運転モードの数量やその値は適宜自由に設定することができる。例えば、三つや四つなど、運転モードの数量をさらに増やすようにしても良い。また、例えば２０％など、上述したような所定の範囲という幅のある値ではなく、特定の値にするようにしてもよい。これにより、空調空間の環境や省エネルギー化を、より詳細に設定することができる。
【００６０】
また、本実施の形態では、強制停止運転を１周期行うごとに停止可能時間の計測や周期データの再設定を行う場合を例に説明したが、これは毎周期行わなくてもよい。例えば、各周や所定の周期ごとなど適宜自由に設定することができる。
【００６１】
また、本実施の形態では、直近の周期の強制停止運転における停止可能時間や１周期の時間に基づいて、１周期の時間に対する停止可能時間の比を確認する場合を例に説明したが、これは直近に限定されず、例えば、直近の複数周期における結果に基づいて行うようにしてもよい。また、直近の複数周期における移動平均に基づいて行うようにしてもよい。
【００６２】
また、本実施の形態では、１つの空調機の周期データを更新する場合を例に説明したが、複数の空調機の周期データを更新するようにしてもよい。
【００６３】
また、本実施の形態では、複数の空調機を設けた空調システムについて説明したが、空調機の数量は複数に限定されず、単数であってもよいことは言うまでもない。この場合、空調制御装置３は、センサとともに空調機内部に設けられるようにしてもよい。
【００６４】
また、本実施の形態では、冷房運転時に周期データを設定する場合を例に説明したが、暖房運転時にも適用できることは言うまでもない。
【００６５】
また、本実施の形態において、周期設定部３５は、停止可能時間が１周期の時間に対して５〜４０％の範囲内にあるか否かを確認する場合を例に説明したが、この範囲は５〜４０％に限定されず、空調空間の規模、空調空間の在室人数などに応じて適宜自由に設定することができる。
【００６６】
また、本実施の形態において、適正範囲判定部３６は、省エネルギーモードが設定されている場合には停止可能時間を１周期の５％以上２０％未満の範囲内となるように設定したが、省エネルギーを実現することができるのであれば、その範囲は適宜自由に設定することができる。同様に、環境モードが設定されている場合には停止可能時間を周期の２０以上４０％以下の範囲内となるように設定したが、空調空間の温度環境が安定するのであれば、その範囲は適宜自由に設定することができる。
【産業上の利用可能性】
【００６７】
本発明は、暖房や冷房を行う各種空調設備に適用することができる。
【図面の簡単な説明】
【００６８】
【図１】本発明に係る空調システムの構成を示す図である。
【図２】空調制御装置の構成を示すブロック図である。
【図３】空調システムの動作を示すフローチャートである。
【図４】（ａ）〜（ｃ）は、各周期データにおける停止時間、運転時間および停止可能時間の関係を示す図である。
【図５】（ａ）〜（ｃ）は、従来の空調機を運転することによる空調空間における温度の変化の例を示す図である。
【符号の説明】
【００６９】
１ａ〜１ｎ…空調機、２ａ〜２ｎ…センサ、３…空調制御装置、３１…Ｉ／Ｆ部、３２…格納部、３３…運転部、３４…停止可能時間測定部、３５…周期設定部、３６…適正範囲判定部。
【図１】
2010002065.tif 000003
【図２】
2010002065.tif 000004
【図３】
2010002065.tif 000005
【図４】
2010002065.tif 000006
【図５】
2010002065.tif 000007